(57)【特許請求の範囲】
【請求項１】
通信確立時に電話番号の処理を行う電話番号処理装置であって、
外線の電話網の電話番号とシステム番号とが対応づけられた外線情報データを記憶する記憶手段と、
前記電話番号処理装置への通信確立として問い合わせ番号を受信する受信手段と、
前記受信した問い合わせ番号に基づいて、システム番号の問い合わせ要求であるかを判定する判定手段と、
前記判定手段により前記システム番号の問い合わせ要求であると判定された場合には前記通信確立のまま、前記問い合わせ番号を受信した電話から前記外線の電話網の電話番号である前記着信先番号を受信する前記着信先番号受信手段と、
前記外線情報データから前記着信先番号手段で受信した着信先番号に対応づけられているシステム番号を検索する検索手段と、
前記システム番号の問い合わせの要求による通信が切断されたあとで、前記問い合わせ番号を受信した電話に前記検索されたシステム番号を含む情報を発信元番号として着信すべく送信する送信手段と、
を備えることを特徴とする電話番号処理装置。
【請求項２】
前記着信先番号受信手段が着信先番号を受信したあとに、前記問い合わせ番号を受信した電話から前記システム番号の問い合わせの要求による通信を終了する指示を受け付ける受付手段をさらに備え、
前記受け付けた指示に応じて、前記送信手段が前記問い合わせ番号を受信した電話に前記検索されたシステム番号を含む情報を発信元番号として着信すべく送信することを特徴とする請求項１に記載の電話番号処理装置。
【請求項３】
前記送信手段が前記問い合わせ番号を受信した電話に前記検索されたシステム番号を含む情報を発信元番号として着信すべく送信したあとに、前記問い合わせ番号を受信した電話による前記着信に対する応答がなされた場合には、前記検索されたシステム番号を含む情報を発信元番号として着信するための前記問い合わせ番号を受信した電話との通信を切断する切断手段をさらに備えることを特徴とする請求項１または請求項２に記載の電話番号処理装置。
【請求項４】
前記送信手段が前記問い合わせ番号を受信した電話に前記検索されたシステム番号を含む情報を発信元番号として着信すべく送信したあとに、前記問い合わせ番号を受信した電話による前記着信に対する応答がなされた場合には、前記着信先番号受信手段が受信した着信先番号に着信するべく要求する着信要求手段をさらに備えることを特徴とする請求項１乃至請求項３のいずれか１項に記載の電話番号処理装置。
【請求項５】
前記システム番号の問い合わせの要求による通信の切断を促すための音声を再生する音声再生手段をさらに備えることを特徴とする請求項１乃至請求項４のいずれか１項に記載の電話番号処理装置。
【請求項６】
通信確立時に電話番号の処理を行い、外線の電話網の電話番号とシステム番号とが対応づけられた外線情報データを記憶する記憶手段を備える電話番号処理装置における電話番号処理方法あって、
前記電話番号処理装置の受信手段が、前記電話番号処理装置への通信確立として問い合わせ番号を受信する受信工程と、
前記電話番号処理装置の判断手段が、前記受信した問い合わせ番号に基づいて、システム番号の問い合わせ要求であるかを判定する判定工程と、
前記電話番号処理装置の着信先番号受信手段が、前記判定工程により前記システム番号の問い合わせ要求であると判定された場合には前記通信確立のまま、前記問い合わせ番号を受信した電話から前記外線の電話網の電話番号である前記着信先番号を受信する前記着信先番号受信工程と、
前記電話番号処理装置の検索手段が、前記外線情報データから前記着信先番号工程で受信した着信先番号に対応づけられているシステム番号を検索する検索工程と、
前記電話番号処理装置の送信手段が、前記システム番号の問い合わせの要求による通信が切断されたあとで、前記問い合わせ番号を受信した電話に前記検索されたシステム番号を含む情報を発信元番号として着信すべく送信する送信工程と、
を含むことを特徴とする電話番号処理方法。
【請求項７】
通信確立時に電話番号の処理を行い、外線の電話網の電話番号とシステム番号とが対応づけられた外線情報データを記憶する記憶手段を備える電話番号処理装置で読み取り実行可能なプログラムであって、
前記電話番号処理装置を、
前記電話番号処理装置への通信確立として問い合わせ番号を受信する受信手段と、
前記受信した問い合わせ番号に基づいて、システム番号の問い合わせ要求であるかを判定する判定手段と、
前記判定手段により前記システム番号の問い合わせ要求であると判定された場合には前記通信確立のまま、前記問い合わせ番号を受信した電話から前記外線の電話網の電話番号である前記着信先番号を受信する前記着信先番号受信手段と、
前記外線情報データから前記着信先番号手段で受信した着信先番号に対応づけられているシステム番号を検索する検索手段と、
前記システム番号の問い合わせの要求による通信が切断されたあとで、前記問い合わせ番号を受信した電話に前記検索されたシステム番号を含む情報を発信元番号として着信すべく送信する送信手段と、
して機能させることを特徴とするプログラム。
【発明の詳細な説明】
【技術分野】
【０００１】
本発明は、電話番号処理装置、電話番号処理方法、およびそのプログラムに関する。
【背景技術】
【０００２】
携帯電話網と固定電話網を融合するＦＭＣ（Ｆｉｘｅｄ  Ｍｏｂｉｌｅ  Ｃｏｎｖｅｒｇｅｎｃｅ）サービスが通信事業者から提供される中で、携帯端末通信事業者が提供するＦＭＣサービスのメリットとして、携帯端末通信事業者の指定する携帯端末を用いた社員間で行う通話が全て内線発信による通話扱いとなり、社員間の通話が社内電話網電波の外であっても通話に係る通話料（通信費）が発生しない事があげられる。
【０００３】
すなわち携帯端末通信事業者が提供するＦＭＣサービスに契約した携帯端末同士の通話は、当該携帯端末通信事業者が提供する携帯電話網を使用した場所における発信であっても内線通話扱いとなる。これに対し、一方の携帯端末が当該ＦＭＣサービスに契約していない携帯端末で通話する場合、発信により通話料（通信費）が発生してしまう外線通話扱いとなる。
【０００４】
現在、通信事業者が提供するＦＭＣサービスを統合したマルチＦＭＣサービスが提供されているが、社員がＦＭＣサービスを利用する場合に、通話料の発生する外線発信または通話料の発生しない内線発信する場合、その運用には通信事業者間のルールが異なる為、以下の様な方法が開示されている。
【０００５】
特許文献１においては、複数の通信事業者間で行うＦＭＣサービスを連携する為に、発信位置情報を管理テーブルに送信して、現在の発信位置を確認した後、ユーザ固有の発信位置に関連した電話番号を付与されて発信要求をする事により複数の通信事業者間のＦＭＣサービス間の接続を実現している。
【０００６】
特許文献２において電話番号が複数割り当てられた相手に予め電話番号毎に優先度を付与し、発信番号から電話番号料金が最も安いと想定される番号を選択して中継発信している。
【先行技術文献】
【特許文献】
【０００７】
【特許文献１】特開２００７−２５１６２２号公報
【特許文献２】特開２００９−３８５５７号公報
【発明の概要】
【発明が解決しようとする課題】
【０００８】
しかしながら、背景技術においては携帯端末通信事業者が提供するＦＭＣサービスの使用が可能な社員が携帯端末を社外に持ち出し、お客からの電話を社内から持ち出した携帯端末にて受信して通話する場合に、お客の発信番号が携帯端末の着信番号履歴に残ってしまう為、万が一携帯端末を紛失した場合には顧客情報漏洩のリスクをもっている。
【０００９】
さらにお客に着信番号にて折り返し電話をする場合に、０発信である為、一般の携帯電話網や公衆網を経由した外線発信となってしまい、折り返し電話した事実や通話データを会社固有の通話管理システムにオンラインで登録できないという問題がある。
【００１０】
さらにＦＭＣサービスを利用しながら、お客からの着信番号のままで折り返し電話をする場合、例えば携帯端末に記録された発信番号をつかって発信した場合には、一般の携帯電話網や公衆網を経由した外線発信となってしまい、ＦＭＣサービスのメリットである、社内内線利用といった通話回線を選択することができず、発信者が必ず０発信を選択してしまう、というような様々な問題がある。
【００１１】
このような課題に対して、本出願人により、外線の電話番号に電話発信させる際に、ＳＩＰサーバ（電話番号変換装置）を用いて外線の発信先の電話番号に対してユニークなシステム番号を発番する仕組みが提案されている。

【００１２】
この手法により、外線の電話網へ発信した場合であっても、外線の電話番号を電話内に記録されていないため、電話を紛失した場合であっても、顧客情報の漏洩リスクを減らすことができる。
【００１３】
しかしながら、この手法では、単にシステム番号の問い合わせだけを行う仕組みまでは提案されていない。
【００１４】
そこで、本発明は、システム番号の問い合わせをダイヤル操作すると、問い合わせ元である利用者の電話が問い合わせしたシステム番号を受信することができる仕組みを提供する事を目的とする。
【課題を解決するための手段】
【００１５】
本発明は、通信確立時に電話番号の処理を行う電話番号処理装置であって、外線の電話網の電話番号とシステム番号とが対応づけられた外線情報データを記憶する記憶手段と、前記電話番号処理装置への通信確立として問い合わせ番号を受信する受信手段と、前記受信した問い合わせ番号に基づいて、システム番号の問い合わせ要求であるかを判定する判定手段と、前記判定手段により前記システム番号の問い合わせ要求であると判定された場合には前記通信確立のまま、前記問い合わせ番号を受信した電話から前記外線の電話網の電話番号である前記着信先番号を受信する前記着信先番号受信手段と、前記外線情報データから前記着信先番号手段で受信した着信先番号に対応づけられているシステム番号を検索する検索手段と、前記システム番号の問い合わせの要求による通信が切断されたあとで、前記問い合わせ番号を受信した電話に前記検索されたシステム番号を含む情報を発信元番号として着信すべく送信する送信手段と、を備えることを特徴とする。
【００１６】
また、前記着信先番号受信手段が着信先番号を受信したあとに、前記問い合わせ番号を受信した電話から前記システム番号の問い合わせの要求による通信を終了する指示を受け付ける受付手段をさらに備え、前記受け付けた指示に応じて、前記送信手段が前記問い合わせ番号を受信した電話に前記検索されたシステム番号を含む情報を発信元番号として着信すべく送信することを特徴とする。
また、前記送信手段が前記問い合わせ番号を受信した電話に前記検索されたシステム番号を含む情報を発信元番号として着信すべく送信したあとに、前記問い合わせ番号を受信した電話による前記着信に対する応答がなされた場合には、前記検索されたシステム番号を含む情報を発信元番号として着信するための前記問い合わせ番号を受信した電話との通信を切断する切断手段をさらに備えることを特徴とする。
【００１７】
また、前記送信手段が前記問い合わせ番号を受信した電話に前記検索されたシステム番号を含む情報を発信元番号として着信すべく送信したあとに、前記問い合わせ番号を受信した電話による前記着信に対する応答がなされた場合には、前記着信先番号受信手段が受信した着信先番号に着信するべく要求する着信要求手段をさらに備えることを特徴とする。
【００１８】
また、前記システム番号の問い合わせの要求による通信の切断を促すための音声を再生する音声再生手段をさらに備えることを特徴とする。
【発明の効果】
【００１９】
本発明により、システム番号の問い合わせをダイヤル操作すると、問い合わせ元である利用者の電話が問い合わせしたシステム番号を受信することができる仕組みを提供する事が可能となる。
【図面の簡単な説明】
【００２０】
【図１】システム構成の一例を示す図
【図２】ハードウエア構成の一例を示す図
【図３】機能ブロックの一例を示す図
【図４】電話番号処理のフローチャートの一例を示す図
【図５】外線の電話網から発信され内線の電話網で着信した場合の一例を示す図
【図６】内線の電話網から発信され外線の電話網で着信した場合の一例を示す図
【図７】データベースの一例を示す図
【図８】問い合わせ処理のフローチャートの一例を示す図
【図９】問い合わせ処理のダイヤル操作の一例を示す図
【発明を実施するための形態】
【００２１】
図１は、本発明の電話番号処理装置に好適なＩＰ電話番号処理装置（管理サーバ）１０１が構成するシステムの全体図である。ＩＰ電話（インターネットプロトコル電話）とは、音声をデータ圧縮・符号化してＩＰパケットに分割し、ＩＰネットワークにより伝送する技術を採用した電話のことである。
【００２２】
図１に示すように、管理サーバ１０１は、携帯端末通信事業者Ａ社から提供されるＩＰ-ＧＷ（Ａ社ＧＷサーバ）１０２、携帯端末通信事業者Ｂ社から提供されるＩＰ-ＧＷ（Ｂ社ＧＷサーバ）１０３、携帯端末通信事業者Ｃ社から提供されるＩＰ-ＧＷ（Ｃ社ＧＷサーバ）１０４といった複数のＩＰ電話専用ゲートウエイと通信可能でかつ音声通話可能な状態で接続されている。
【００２３】
Ａ社から提供されるＡ社ＧＷサーバ１０２はＡ社が提供するＡ社ＦＭＣサービス網４０４から提供されるＡ社のＩＰ電話サービス網４０６と通信可能でかつ音声通話可能な状態で接続されている。
【００２４】
Ｂ社から提供されるＢ社ＧＷサーバ１０３はＢ社が提供するＢ社ＦＭＣサービス網４１１から提供されるＢ社のＩＰ電話サービス網４１３と通信可能でかつ音声通話可能な状態で接続されている。
【００２５】
Ｃ社から提供されるＣ社ＧＷサーバ１０４はＣ社が提供するＣ社ＦＭＣサービス網４１８から提供されるＣ社のＩＰ電話サービス網４２０と通信可能でかつ音声通話可能な状態で接続されている。
Ａ社の携帯電話サービス網４０５はＡ社携帯通信網４００を介して携帯端末４０１、４０２と通信可能でかつ音声通話可能な状態で接続されている。
Ｂ社の携帯電話サービス網４１２はＢ社携帯通信網４０７を介して携帯端末４０８、４０９と通信可能でかつ音声通話可能な状態で接続されている。
Ｃ社の携帯電話サービス網４１９はＣ社携帯通信網４１４を介して携帯端末４１５、４１６と通信可能でかつ音声通話可能な状態で接続されている。
【００２６】
本発明の内線の電話網から発信可能なユーザは全てユーザ所有の携帯端末が属する携帯端末通信事業者の提供するＦＭＣサービス網を使用する契約をしているものとする。すなわち社員等の会社内部の携帯端末ユーザが該当する。
【００２７】
本発明の外線の電話網から発信可能なユーザは全てユーザ所有の携帯端末が属する携帯端末通信事業者の提供するＦＭＣサービス網を使用する契約をしていないものとする。すなわちお客様等の会社外部の携帯端末ユーザが該当する。
【００２８】
Ａ社の携帯端末４０１、４０２はＡ社との契約により、Ａ社がサービス提供するＡ社ＦＭＣサービス網４０４を利用できるか否かが選択可能である。契約者がＡ社ＦＭＣサービス網４０４を使用する契約をＡ社とした場合、契約した携帯端末を利用してＡ社ＦＭＣサービスでのＡ社のＩＰ電話サービス網４０６を介した音声通話やデータ通信が可能である。
【００２９】
Ｂ社の携帯端末４０８、４０９はＢ社との契約により、Ｂ社がサービス提供するＢ社ＦＭＣサービス網４１１を利用できるか否かが選択可能である。契約者がＢ社ＦＭＣサービス網４１１を使用する契約をＢ社とした場合、契約した携帯端末を利用してＢ社ＦＭＣサービスでのＢ社のＩＰ電話サービス網４１３を介した音声通話やデータ通信が可能である。
【００３０】
Ｃ社の携帯端末４１５、４１６はＣ社との契約により、Ｃ社がサービス提供するＣ社ＦＭＣサービス網４１８を利用できるか否かが選択可能である。契約者がＣ社ＦＭＣサービス網４１８を使用する契約をＣ社とした場合、契約した携帯端末を利用してＣ社ＦＭＣサービスでのＣ社のＩＰ電話サービス網４２０を介した音声通話やデータ通信が可能である。
【００３１】
以上の形態から、例えば会社内部の携帯端末ユーザ（社員）の携帯端末４０１と会社内部の携帯端末ユーザ（社員）の携帯端末４０８がＡ社ＦＭＣサービス網４０４とＢ社ＦＭＣサービス網４１１を利用して音声通話する場合、その通信データ及び音声通話データは必ず本発明の管理サーバ１０１を介するものである。
【００３２】
以上の形態から、例えば会社内部の携帯端末ユーザ（社員）の携帯端末４０１と会社外部の携帯端末ユーザ（お客様）の携帯端末がＡ社ＦＭＣサービス網を利用して音声通話する場合、その通信データ及び音声通話データは必ず本発明の管理サーバ１０１を介するものである。
【００３３】
以上の形態から、例えば会社外部の携帯端末ユーザ（お客様）の携帯端末と会社外部の携帯端末ユーザ（お客様）の携帯端末が音声通話する場合、その通信データ及び音声通話データは本発明の管理サーバ１０１を介しないものである。
【００３４】
さらに本発明の管理サーバ１０１は他の通信事業者が提供する本発明に類似するＦＭＣサービス網ともその通信データ及び音声通話データの送受信や接続可能である。
【００３５】
公衆回線４２１、４２２は一般回線であり、各携帯端末通信事業者のサービス網と音声通話及びデータ通信可能に接続されている。これにより社員がお客様と外線通話することが可能になる。
図２は管理サーバ１０１のハードウエア構成図を示す図であり、Ａ社ＧＷサーバ１０２、Ｂ社ＧＷサーバ１０３、Ｃ社ＧＷサーバ１０４も同様の構成図である。
【００３６】
図２において、３０１はＣＰＵで、システムバス３０４に接続される各デバイスやコントローラを統括的に制御する。また、ＲＯＭ３０２あるいは外部メモリ３１１には、ＣＰＵ３０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００３７】
３０３はＲＡＭで、ＣＰＵ３０１の主メモリ、ワークエリア等として機能する。ＣＰＵ３０１は、処理の実行に際して必要なプログラム等をＲＯＭ３０２あるいは外部メモリ３１１からＲＡＭ３０３にロードして、該ロードしたプログラムを実行することで各種動作を実現するものである。
【００３８】
３０５は入力コントローラで、キーボード（ＫＢ）３０９や不図示のマウス等のポインティングデバイス等からの入力を制御する。３０６はビデオコントローラで、表示部３１０への表示を制御する。なお、表示部３１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【００３９】
３０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ３１１へのアクセスを制御する。
【００４０】
３０８は通信Ｉ／Ｆコントローラで、ネットワーク（通信貝回線）３００を介して外部機器と接続・通信するものであり、ネットワークでの通信制御処理を実行する。例えば、ＴＣＰ／ＩＰを用いた通信等が可能である。
【００４１】
なお、ＣＰＵ３０１は、例えばＲＡＭ３０３内の表示情報用領域へアウトラインフォントの展開（ラスタライズ）処理を実行することにより、ＣＲＴ上での表示を可能としている。また、ＣＰＵ３０１は、ＣＲＴ上の不図示のマウスカーソル等でのユーザ指示を可能とする。
【００４２】
本発明を実現するための後述する各種プログラムは、外部メモリ３１１に記録されており、必要に応じてＲＡＭ３０３にロードされることによりＣＰＵ３０１によって実行されるものである。さらに、上記プログラムの実行時に用いられるデータファイル及びデータテーブル等も、外部メモリ３１１または記憶手段に格納されており、これらについての詳細な説明も後述する。
以下、図３を用いて、図１に示したＩＰ電話番号処理装置の機能ブロックについて説明する。
図３は管理サーバ１０１の機能ブロック図である。
【００４３】
受信手段（受信部）はゲートウエイに対して発信元番号や着信先番号を含んだセッション確立（通信確立）情報をＳＩＰ（Ｓｅｓｓｉｏｎ  Ｉｎｉｔｉａｔｉｏｎ  Ｐｒｏｔｏｃｏｌ）通信にて受信する。
検索手段（検索部）は第１の役割として、システム番号が外線情報テーブルに記憶されているか外線情報テーブルを検索する。
【００４４】
登録手段（登録部）は第１の役割として管理サーバが通話を受け付けた場合に通話記録として、全ての発信元番号（お客様番号や内線番号）や着信先番号（ダイヤルイン番号やシステム番号）を通話履歴テーブル７１０１に対応づけて登録する。第２の役割として、システム番号が既に記憶部に記憶されていない場合には、お客様番号と発行した新規システム番号を外線情報テーブル７１０２に対応づけて登録する。
受付指示手段（受付指示部）は指定の応答メッセージ再生し、クライアント端末に所望の操作指示内容を選択させる。公知技術では音声自動応答装置を用いる。
【００４５】
着信要求手段（着信要求部）はゲートウエイに対して発信元番号や着信先番号を含んだセッション確立（通信確立）情報をＳＩＰ（Ｓｅｓｓｉｏｎ  Ｉｎｉｔｉａｔｉｏｎ  Ｐｒｏｔｏｃｏｌ）通信にて発信（送信）することで着信要求する。
【００４６】
判定手段（判定部）は第１の役割として着信先番号から問い合わせかを判定する。第１の役割として、問い合わせ要求者（クライアント端末）が選択（送信）した情報を判定する。
【００４７】
発行手段（発行部）はシステム番号が既に登録されていない場合には、外線の電話網の電話番号（お客様の電話番号。以下、お客様番号と呼ぶ）と外線情報テーブル７１０２に対応づけられる新規システム番号を発行する。
【００４８】
記憶手段（記憶部）は第１の役割として、お客様番号とシステム番号を外線情報テーブル７１０２に対応づけてデータベースとして予め記憶する。第２の役割として、ダイヤルイン番号を内線番号とを内線情報テーブル７１０３に対応づけてデータベースとして予め記憶する。当該記憶手段はＲＯＭ３０２または外部メモリ３１１であってもよい。
【００４９】
変換手段（変換部）は第１の役割として、お客様番号とシステム番号とそれぞれ外線情報テーブル７１０２を用いて変換（入替）し、変換した前後の発信元番号をＲＡＭに一時記憶する。第２の役割として、ダイヤルイン番号と内線番号とそれぞれ内線情報テーブル７１０３を用いて変換（入替）し、変換した前後の着信先番号をＲＡＭに一時記憶する。
【００５０】
指定手段（指定部）は第１の役割として、受信手段が受信し、ＲＡＭに一時記憶された発信元番号または着信先番号から発信元番号を指定する。第２の役割として、受信手段が受信し、ＲＡＭに一時記憶された着信先番号を送信手段が送信する着信先番号を指定する。
切断指示手段（切断指示部）は第１の役割として、現在の通話（管理サーバとの通信）を切断するべく指示をする。
送信手段（送信部）は第１の役割として、発信元番号と着信先番号を受信手段に送信する。
受付手段（受付部）内線電話から切断指示、システム番号発信指示、キャンセル指示、システム番号取得指示、応答指示、を受け付ける。
削除手段（削除部）は新規登録されたシステム番号を削除する。
音声通知手段（音声通知部）はシステム番号を音声案内する。公知技術では音声自動応答装置を用いる。
再生指示手段（再生指示部）は指定の応答メッセージ再生し発信者の端末に送信する。公知技術では音声自動応答装置を用いる。
【００５１】
このように、管理サーバ１０１は、例えばＳＩＰサーバ（ＳＩＰプロキシサーバ）であり、ＳＩＰメッセージのルーティング（転送先決定）、電話番号のＩＰアドレスと対応付け、音声自動応答機能の機能も備えている。さらに音声自動応答機能を備えたＳＩＰサーバや、ＳＩＰサーバとＩＶＲ（Ｉｎｔｅｒａｃｔｉｖｅ  Ｖｏｉｃｅ  Ｒｅｓｐｏｎｓｅ）サーバを組み合わせた形態であってもよい。
次に、図４では本発明の電話番号処理装置に好適な管理サーバ１０１が実行する電話番号処理について説明する。
【００５２】
図４は、管理サーバ１０１による電話番号処理の一例を示すフローチャートである。なお、ステップＳ４０２〜ステップＳ４０８は管理サーバ１０１のＣＰＵ３０１の指示により実行する。
【００５３】
ステップＳ４０１では、外線の電話網からの場合（外線の電話網との通信確立時）は、お客様の携帯端末または固有の電話機により、外線電話のクライアント端末は、お客様番号を発信元番号、ダイヤルイン番号を着信先番号として、お客様番号とダイヤルイン番号を管理サーバに送信（着信要求）する。ここでダイヤルイン番号は社員固有の番号である。
【００５４】
お客様は携帯端末通信事業者の提供するＦＭＣサービス網を使用する契約をしていない会社外部の携帯端末ユーザである。お客様番号はお客様固有の電話番号である。
社員は携帯端末通信事業者の提供するＦＭＣサービス網を使用する契約をしている会社内部の携帯端末ユーザである。また社員は内線番号も同時に持っている。
お客様番号とダイヤルイン番号は管理サーバ１０１に送信される。言い換えれば発信元番号と着信先番号を含んだ接続要求を送信する。
【００５５】
更に内線の電話網からの場合（内線の電話網との通信確立時）は、ステップＳ４０１では、社員の携帯端末または固有の電話機により、内線電話のクライアント端末は、内線番号を発信元番号、システム番号を着信先番号として、内線番号とシステム番号を管理サーバに送信（着信要求）する。ここで内線番号は社員固有の番号である。
【００５６】
また内線の電話網からの問い合わせ要求の場合は、内線番号を発信元番号、問い合わせ番号「７７７７」を着信先番号として、内線番号と問い合わせ番号を管理サーバに発信（着信要求）する。
社員は携帯端末通信事業者の提供するＦＭＣサービス網を使用する契約をしている会社内部の携帯端末ユーザである。
内線番号とシステム番号は管理サーバ１０１に送信される。言い換えれば発信元番号と着信先番号を含んだ接続要求を送信する。
【００５７】
ステップＳ４０２では、外線の電話網からの場合は、Ｓ４０１で着信要求（電話番号送信）された何れかのＧＷサーバを介して外線の電話網から管理サーバ１０１に送信された発信元番号（お客様番号）及び着信先番号（ダイヤルイン番号）を受信する（受信手段）。言い換えれば発信元番号と着信先番号を含んだ接続要求を受信する。
【００５８】
また、内線の電話網からの場合は、Ｓ４０１では着信要求（電話番号送信）された何れかのＧＷサーバを介して内線の電話網から管理サーバ１０１に送信された発信元番号（内線番号）及び着信先番号（システム番号）を受信する（受信手段）。言い換えれば発信元番号と着信先番号を含んだ接続要求を受信する。
【００５９】
ＣＰＵ３０１が受信した発信元番号及び着信先番号をＲＡＭ３０３のワークエリアに一時記憶する。一時記憶した発信元番号及び着信先番号を通話履歴テーブルに通話履歴情報として登録する（登録手段）。
【００６０】
ステップＳ４０３では、Ｓ４０１でＲＡＭ３０３が一時記憶した着信先番号が問い合わせ番号（問い合わせ要求）かを判定する（判定手段）。問い合わせ番号「７７７７」等の問い合わせ要求であると判断した場合、Ｓ４０４に進む。問い合わせ要求ではないと判断した場合、Ｓ４０５に進む。
ステップＳ４０４では、図８の問い合わせ処理を実行する。
【００６１】
ステップＳ４０５では、外線の電話網からの場合は、ＣＰＵ３０１は外線情報テーブル７１０２を参照し、受信した発信元番号であるお客様番号と対応づけたシステム番号を検索する（検索手段）。システム番号がある場合はお客様番号と対応づけたシステム番号をＲＡＭ３０３に一時記憶し、Ｓ４０７に進む。システム番号がない場合はＳ４０６に進む。
【００６２】
また内線の電話網からの場合は、Ｓ４０５では、ＣＰＵ３０１は外線情報テーブル７１０２を参照し、受信した着信先番号であるシステム番号と対応づけたお客様番号を検索する（検索手段）。システム番号がある場合はシステム番号と対応づけたお客様番号をＲＡＭ３０３に一時記憶し、Ｓ４０７に進む。
【００６３】
ステップＳ４０６では、システム番号が外線情報テーブル７１０２に無いのでＣＰＵ３０１は新規発行（発行手段）したシステム番号を外線情報テーブル７１０２に発信元番号と対応づけて新規登録する（登録手段）。登録したシステム番号はＲＡＭ３０３のワークエリアに一時記憶する。
【００６４】
ステップＳ４０７では、外線の電話網からの場合は、お客様番号に対応づけられたシステム番号を外線情報テーブル７１０２から検索し、発信元番号をお客様番号（発信元番号）からシステム番号（発信元番号）に変換をする（変換手段）。
【００６５】
更に、ダイヤルイン番号に対応づけられた内線番号を内線情報テーブル７１０３から検索し、着信先番号をダイヤルイン番号（着信先番号）から内線番号（着信先番号）に変換をする（変換手段）。
【００６６】
また内線の電話網からの場合は、ステップＳ４０７では、システム番号に対応づけられたお客様番号を外線情報テーブル７１０２から検索し、着信先番号をシステム番号（着信先番号）からお客様番号（着信先番号）に変換をする（変換手段）。
【００６７】
更に、内線番号に対応づけられたダイヤルイン番号を内線情報テーブル７１０３から検索し、発信元番号を内線番号（発信元番号）からダイヤルイン番号（発信元番号）に変換をする（変換手段）。
【００６８】
ステップＳ４０８では、Ｓ４０７で変換した発信元番号（システム番号）と着信先番号（内線番号）で着信要求をする（着信要求手段）。言い換えれば発信元番号と着信先番号を含んだ接続要求を送信する。この着信要求により社員の端末に着信（通信接続）する。
【００６９】
また内線の電話網からの場合は、ステップＳ４０８では、Ｓ４０７で変換した発信元番号（ダイヤルイン番号）と着信先番号（お客様番号）で着信要求をする（第２の着信要求手段）。言い換えれば発信元番号と着信先番号を含んだ接続要求を送信する。この着信要求によりお客様の端末に着信（通信接続）する。
図５は、図４で説明した管理サーバ１０１が実行する電話番号処理と本発明で実際に使用する電話番号で説明したフローチャートである。
【００７０】
ここで説明する例は、「０８０−２２２２−２２２２」（お客様番号）の番号を持つ利用者Ｘが「０５０−１１１１−１１１１」（ダイヤルイン番号）を持つＦＭＣサービスを利用する利用者Ｙにダイヤル発信した場合である。当該装置を用いた場合において、利用者Ｘは利用者Ｙに対して、「０５０」であるＩＰ電話番号にて発信した場合に通話可能とする。
【００７１】
ここで説明する「０８０−２２２２−２２２２」の番号を持つ利用者Ｘは一般利用者（お客様が望ましい。ここでの一般の利用者とは後述する、社員の様な社内の内部利用者ではないとの意味である。さらにＦＭＣサービスを利用していない者である。
【００７２】
利用者Ｘが持つ番号は０８０を始めとする番号に限らず、初めの番号が「０」である番号、たとえば「０９０、０３、０９５、０５０、０７０」のような固定電話を含む電話番号であってもよい。
また利用者Ｘが持つ端末は携帯端末のみならず固定端末であってもよい。
【００７３】
図５は利用者Ｘの「０８０−２２２２−２２２２」の携帯端末から発信（着信要求）し、ＦＭＣサービスを利用する利用者Ｙのダイヤルイン番号「０５０−１１１１−１１１１」は携帯端末４０１に着信する場合の電話番号処理を説明する。
【００７４】
ステップＳ５０１では、管理サーバ１０１はＧＷサーバから公知技術であるルーティングにより発信元番号「０８０−２２２２−２２２２」と着信先番号「０５０−１１１１−１１１１」を受信する（受信手段）。（Ｓ４０２の処理）
【００７５】
ステップＳ５０２では、発信元番号「０８０−２２２２−２２２２」と着信先番号「０５０−１１１１−１１１１」をＲＡＭ３０３に一時記憶する。発信元番号「０８０−２２２２−２２２２」と着信先番号「０５０−１１１１−１１１１」を通話履歴テーブルに登録する。（Ｓ４０２の処理）
ステップＳ５０３では、着信先番号「０５０−１１１１−１１１１」が問い合わせ要求ではないと判定する。（Ｓ４０３の処理）
ステップＳ５０４では、システム番号がない場合システム番号「８０００１２３４」を新規発行する。（Ｓ４０５の処理）
【００７６】
新規発行した「８０００１２３４」（システム番号）を外線情報テーブル７１０２に新規登録する。外線情報テーブルに「０８０−２２２２−２２２２」と「８０００１２３４」を対応づける。外線情報テーブルはお客様を対象としたデータである。外線情報テーブルはお客様番号とシステム番号を一意に対応づけるデータである。管理サーバ１０１を利用して通話するお客様番号は全て、システム番号と一意に対応づけて管理される。
【００７７】
ステップＳ５０５では、発信元番号「０８０−２２２２−２２２２」は、外線情報テーブルにより対応づけた発信元番号「８０００１２３４」になる。着信先番号「０５０−１１１１−１１１１」は、内線情報テーブルにより対応づけた着信先番号「４７００００１」になる（変換手段）。（Ｓ４０７の処理）
この「４７００００１」は社員固有の内線番号である。
【００７８】
内線情報テーブルは社員を対象としたデータである。内線情報テーブルはダイヤルイン番号と内線番号を一意に対応づけるデータである。管理サーバ１０１を利用して通話するダイヤルイン番号は全て、内線番号と一意に対応づけて管理される。
【００７９】
ステップＳ５０６では、管理サーバ１０１はＩＰ−ゲートウエイに公知技術であるルーティングにより発信元番号「８０００１２３４」と着信先番号「４７００００１」で着信要求（着信要求手段）をする。（Ｓ４０８の処理）
【００８０】
ステップＳ５０７、Ｓ５０８、Ｓ５０９は応答であり、「０５０−１１１１−１１１１」を持つ利用者Ｙからの応答を表している。ここでの応答は公知技術である。その後ＲＴＰセッションにより音声信号の通信が行われる。
図６は、図４で説明した管理サーバ１０１が実行する電話番号処理と本発明で実際に使用する電話番号で説明したフローチャートである。
【００８１】
図６では、図５で説明した利用者Ｘの「０８０−２２２２−２２２２」（お客様番号）はお客様の携帯端末から発信し、ＦＭＣサービスを利用する利用者Ｙの「０５０−１１１１−１１１１」（ダイヤルイン番号）は携帯端末４０１で着信した後に、Ｙ（社員）がＸ（お客様）に折り返し発信する場合を説明する。
【００８２】
図６は、お客様が知っている番号である「０５０−１１１１−１１１１」（ダイヤルイン番号）の電話番号を持つＹが「０８０−２２２２−２２２２」（お客様番号）を持つ利用者Ｘに発信する場合の電話番号処理である。すなわち図５で説明した場合の逆である。
【００８３】
「０５０−１１１１−１１１１」の番号を持つＹ（社員）は、社員の様な社内の内部利用者が望ましく、Ｙが発信する場合は、「０８０−２２２２−２２２２」（お客様番号）ではなく「８０００１２３４」（システム番号）を着信先番号として選択し発信する。
【００８４】
「８０００１２３４」は社員のみが知るお客様の番号「０８０−２２２２−２２２２」に割り当てられた番号であり、社員は「８０００１２３４」を着信先番号として選択し発信することができる。
さらに社員が発信する場合の発信元番号は「４７００００１」（内線番号）が送信される。
【００８５】
着信先番号としてＹが発信する「８０００１２３４」（システム番号）はＦＭＣサービスを利用する利用者がボタン操作によりダイヤルしてもよく、既に受信した場合に携帯端末に保存された番号を選択して発信してもよい。
またＦＭＣサービスを利用する利用者Ｙが持つ端末は携帯端末のみならず固定端末であってもよい。
【００８６】
ステップＳ６０１では、管理サーバ１０１はＧＷサーバから公知技術であるルーティングにより発信元番号「４７００００１」と着信先番号「８０００１２３４」を受信する（受信手段）。（Ｓ４０２の処理）
【００８７】
ステップＳ６０２では、発信元番号「４７００００１」と着信先番号「８０００１２３４」をＲＡＭ３０３に一時記憶する。発信元番号「４７００００１」と着信先番号「８０００１２３４」を通話履歴テーブルに登録する。（Ｓ４０２の処理）
ステップＳ６０３では、着信先番号「８０００１２３４」が問い合わせ要求ではないと判定する。（Ｓ４０３の処理）
ステップＳ６０４では、システム番号「８０００１２３４」を外線情報テーブルから検索する。（Ｓ４０５の処理）
【００８８】
ステップＳ６０５では、発信元番号「４７００００１」は、内線情報テーブルにより対応づけた発信元番号「０５０−１１１１−１１１１」になる。着信先番号「８０００１２３４」は、外線情報テーブルにより対応づけた着信先番号「０８０−２２２２−２２２２」になる（変換手段）。（Ｓ４０７の処理）
【００８９】
ステップＳ６０６では、管理サーバ１０１はＩＰ−ゲートウエイに公知技術であるルーティングにより発信元番号「０５０−１１１１−１１１１」と着信先番号「０８０−２２２２−２２２２」で着信要求（第２の着信要求手段）をする。（Ｓ４０８の処理）
【００９０】
ステップＳ６０７、Ｓ６０８、Ｓ６０９は応答であり、「０８０−２２２２−２２２２」を持つＸからの応答を表している。ここでの応答は公知技術である。その後ＲＴＰセッションにより音声信号の通信が行われる。
図７は、本願発明で使用するデータテーブルである。
【００９１】
７１０１は通話履歴テーブルであり、通話毎の発信元番号及び着信先番号のペアを通話履歴として通話毎にデータベースに登録する。通話履歴テーブルは外部メモリ３１１に記憶されている。
【００９２】
７１０２は外線情報テーブルであり、外線情報データを検索して外線情報データにお客様番号が存在しない（つまり新規のお客様番号である）場合に、自動でシステム番号を発行し、発行されたシステム番号を外線情報データベースに登録する。また予め外線情報データのお客様番号とシステム番号を関連付けて登録しても何ら問題はない。外線情報テーブルは外部メモリ３１１に記憶されている。
【００９３】
７１０３は内線情報テーブルであり、予め内線情報データのダイヤルイン番号と内線番号を関連付けて登録したデータである。内線情報テーブルは外部メモリ３１１に記憶されている。
図８は、管理サーバ１０１による問い合わせ処理の一例を示すフローチャートである。図４のステップＳ４０４の詳細を説明するためのフローチャートである。
【００９４】
なお、ステップＳ８０１〜ステップＳ８２９（Ｓ８０３、Ｓ８０８、Ｓ８１１、Ｓ８１４、Ｓ８１９、Ｓ８２４、Ｓ８２７を除く）管理サーバ１０１のＣＰＵ３０１が実行する。
Ｓ８０３、Ｓ８０８、Ｓ８１１、Ｓ８１４、Ｓ８１９、Ｓ８２４、Ｓ８２７はクライアント端末のＣＰＵが実行する。
ステップＳ８０１では、問い合わせ番号（問い合わせ要求）を受信する（受信手段）。
【００９５】
受信した問い合わせ番号は例えば「７７７７」（問い合わせ番号）とする。更にＳ４０１で第３の発信元番号として受信した内線番号「４７００００１」を受信し（受信手段）、ＲＡＭ３０３のワークエリアに一時記憶する。
【００９６】
ステップＳ８０２では、着信先番号を受け付ける指示（受付指示手段）により、予め録音された音声メッセージの再生指示をする。ここで再生される音声メッセージの内容は、現在通信（通話）している（問い合わせ要求送信者）が所望する着信先番号（お客様番号）を入力（ダイヤル操作）するように促すものである。
【００９７】
ステップＳ８０３では、内線電話のクライアント端末は、Ｓ８０２での音声メッセージの再生指示後、お客様番号「０８０−２２２２−２２２２」または「０８０−２２２２−２２２２＊」の入力（ダイヤル操作）により第１の着信先番号を管理サーバ１０１に送信する。
【００９８】
ステップＳ８０４では、送信された第１の着信先番号を受信（受信手段）する。受信した第１の着信先番号（お客様番号）をＲＡＭ３０３のワークエリアに一時記憶する。
【００９９】
ステップＳ８０５では、ＣＰＵ３０１は外線情報テーブル７１０２を参照し、受信した第１の着信先番号（お客様番号）と対応づけたシステム番号を検索する（第２の検索手段）。
【０１００】
更にシステム番号が外線情報テーブル７１０２にあるかを判定する（判定手段）。システム番号がある場合はお客様番号と対応づけたシステム番号をＲＡＭ３０３に一時記憶し、Ｓ８０７に進む。システム番号が外線情報テーブルにない場合はＳ８０６に進む。
【０１０１】
ステップＳ８０６では、システム番号が外線情報テーブル７１０２に無いのでＣＰＵ３０１は新規発行（発行手段）したシステム番号を外線情報テーブル７１０２にお客様番号と対応づけて新規登録する（登録手段）。登録したシステム番号はＲＡＭ３０３のワークエリアに一時記憶する。
【０１０２】
ステップＳ８０７では、クライアントの所望の選択（システム番号処理）を受け付ける指示（受付指示手段）により、予め録音された音声メッセージの再生指示をする。ここで再生される音声メッセージの内容は、現在通信（通話）している（問い合わせ要求送信者）が所望する選択番号（システム番号処理）を入力（ダイヤル操作）するように促すものである。たとえば電話番号「１」〜「９」「♯」「＊」等、所望する選択が識別可能な方法であればよい。例えば音声メッセージの内容は『ダイヤル「１」を選択するとシステム番号を発信者としての問い合わせ要求送信者の端末に着信し番号の通知（システム番号取得指示）可能です。ダイヤル「２」を選択するとシステム番号取得の中止が（キャンセル指示）可能です。ダイヤル「３」を選択するとシステム番号に変換してお客様に発信（システム番号発信指示）可能です。』である。
【０１０３】
ステップＳ８０８では、内線電話のクライアント端末は、問い合わせ要求送信者が所望する「１」〜「３」の選択番号（操作指示）を管理サーバ１０１に送信する。たとえば問い合わせ要求送信者は電話番号「１」〜「３」ボタン等を押下し、選択番号を識別可能な方法であればよい。
【０１０４】
ステップＳ８０９では、システム番号取得指示を受信（受付）したかを判定する（判定手段）。システム番号取得指示を受信したと判定した場合はＳ８１０に進む。受信しないと判定した場合はＳ８１７に進む。
【０１０５】
ステップＳ８１０では、現在通話中のクライアント端末から切断指示を受け付けるために、予め録音された音声メッセージの再生指示をする（再生指示手段）。ここで再生される音声メッセージの内容は、現在通信（通話）している問い合わせ要求を切断（通話終了ボタン）するように促すものである。例えば音声メッセージの内容は『お客様の電話番号を受け付けました。通話を切断し、しばらくお待ちください。』である。
【０１０６】
もし、音声メッセージ（音声案内）のみでシステム番号を通知する場合は、現在通話中のクライアント端末に次のような録音された音声メッセージの再生指示（音声通知手段）をしてもよい。音声メッセージの内容は『お客様の電話番号を受け付けました。システム番号は「８０００１２３４」です。通話を切断してください。』である。この場合はＳ８１１で処理が終了する。
【０１０７】
ステップＳ８１１では、内線電話のクライアント端末は、管理サーバに切断指示を送信する。たとえば問い合わせ要求送信者は電話番号「終了」「ＯＦＦ」ボタン等を押下し、通話を切断可能な方法であればよい。
【０１０８】
ステップＳ８１２では、現在行っている問い合わせ要求送信者の端末から切断指示を受け付けたかを判定する（判定手段）。端末から切断指示を受け付けた（第１の受付手段）と判定した場合、Ｓ８１３に進む。受け付けたと判定しない場合、図８の処理を終了する。
【０１０９】
ステップＳ８１３では、お客様番号に対応づけられたシステム番号を外線情報テーブル７１０２から検索し（第１の検索手段）、第１の着信先番号（お客様番号）と対応づけられたシステム番号を第１の発信元番号に指定する（指定手段）。またＳ４０１及びＳ８０１で発信元番号として受信した内線番号「４７００００１」を着信先番号として指定する（指定手段）。
【０１１０】
第１の発信元番号（システム番号）と着信先番号（内線番号）にて、問い合わせ要求を送信した内線電話に着信するように要求（システム番号着信要求）する（第１の着信要求手段）。管理サーバ１０１が着信要求すると、システム番号が発信者として問い合わせ要求送信者の端末が着信する。
【０１１１】
ステップＳ８１４では、問い合わせ要求送信者の端末（内線電話）はＳ８１３の管理サーバの着信要求により着信（システム番号の通知着信）し、システム番号が発信者として端末の表示部にシステム番号「８０００１２３４」が表示される。これにより問い合わせ要求送信者はシステム番号を端末に受信する事ができる。
【０１１２】
着信後、内線電話のクライアント端末は、問い合わせ要求送信者が応答指示を管理サーバに送信するために、応答指示を送信する。たとえば問い合わせ要求送信者は電話番号「通話」「開始」「ＯＮ」ボタン等を押下し、着信を応答可能な方法であればよい。
【０１１３】
ステップＳ８１５では、Ｓ８１３で着信要求をした問い合わせ要求送信者の端末から応答指示を受け付けたかを判定する（判定手段）。端末から応答指示を受け付けたと判定した場合、Ｓ８１６に進む。受け付けたと判定しない場合、図８の処理を終了する。
【０１１４】
ステップＳ８１６では、現在行っている問い合わせ要求送信者との通話（通信）を切断指示し（切断指示手段）、通話を切断する。この通話が切断指示された後に、問い合わせ要求送信者はシステム番号を端末に登録する事ができる。
【０１１５】
ステップＳ８１７では、キャンセル指示を受信（受付）したかを判定する（判定手段）。キャンセル指示を受信した（第３の受付手段）と判定した場合はＳ８１８に進む。受信しないと判定した場合はＳ８２２に進む。
【０１１６】
ステップＳ８１８では、現在通話中のクライアント端末から切断指示（通話終了受付指示手段）を受け付けるために、予め録音された音声メッセージの再生指示をする。ここで再生される音声メッセージの内容は、現在通信（通話）している問い合わせ要求を切断（通話終了ボタン）するように促すものである。例えば音声メッセージの内容は『キャンセルされました。サービスを終了致します。』である。
【０１１７】
ステップＳ８１９では、内線電話のクライアント端末は、管理サーバに切断指示を送信する。たとえば問い合わせ要求送信者は電話番号「終了」「ＯＦＦ」ボタン等を押下し、通話を切断可能な方法であればよい。
【０１１８】
ステップＳ８２０では、現在行っている問い合わせ要求送信者の端末から切断指示を受け付けたかを判定する（判定手段）。端末から切断指示を受け付けたと判定した場合、Ｓ８２１に進む。受け付けたと判定しない場合、図８の処理を終了する。
【０１１９】
ステップＳ８２１では、外線情報テーブル７１０２を参照し、受信した第１の着信先番号（お客様番号）とＳ８０６で新規に対応づけられたシステム番号を削除（削除手段）し、図８の処理を終了する。これによりシステム番号の新規登録は解除される。
【０１２０】
ステップＳ８２２では、システム番号発信指示を受信（受付）したかを判定する（判定手段）。システム番号発信指示を受信（第２の受付手段）したと判定した場合はＳ８２３に進む。受信しないと判定した場合はＳ８０７に進む。
【０１２１】
ステップＳ８２３では、現在通話中のクライアント端末から切断指示（通話終了受付指示手段）を受け付けるために、予め録音された音声メッセージの再生指示をする。ここで再生される音声メッセージの内容は、現在通信（通話）している問い合わせ要求を切断（通話終了ボタン）するように促すものである。例えば音声メッセージの内容は『お客様の電話番号を受け付けました。通話を切断し、しばらくお待ちください。』である。
【０１２２】
ステップＳ８２４では、内線電話のクライアント端末は、管理サーバに切断指示を送信する。たとえば問い合わせ要求送信者は電話番号「終了」「ＯＦＦ」ボタン等を押下し、通話を切断可能な方法であればよい。
【０１２３】
ステップＳ８２５では、現在行っている問い合わせ要求送信者の端末から切断指示を受け付けたかを判定する（判定手段）。端末から切断指示を受け付けたと判定した場合、Ｓ８２６に進む。受け付けたと判定しない場合、図８の処理を終了する。
【０１２４】
ステップＳ８２６では、お客様番号に対応づけられたシステム番号を外線情報テーブル７１０２から検索し、第１の着信先番号（お客様番号）と対応づけられたシステム番号を第１の発信元番号に指定する（指定手段）。またＳ４０１及びＳ８０１で発信元番号として受信した内線番号「４７００００１」を着信先番号として指定する（指定手段）。
【０１２５】
第１の発信元番号（システム番号）と着信先番号（内線番号）にて着信要求（システム番号通知着信要求）する（着信要求手段）。管理サーバ１０１が着信要求すると、システム番号が発信者として問い合わせ要求送信者の端末が着信する。
【０１２６】
ステップＳ８２７では、問い合わせ要求送信者の端末はＳ８２６の管理サーバの着信要求により着信（システム番号通知着信）し、システム番号が発信者として端末の表示部に表示される。これにより問い合わせ要求送信者はシステム番号を端末に受信する事ができる。
【０１２７】
着信後、内線電話のクライアント端末は、問い合わせ要求送信者が応答指示を管理サーバに送信するために、応答指示を送信する。たとえば問い合わせ要求送信者は電話番号「通話」「開始」「ＯＮ」ボタン等を押下し、着信を応答可能な方法であればよい。
【０１２８】
ステップＳ８２８では、Ｓ８２６で着信要求をした問い合わせ要求送信者の端末から応答指示を受け付けたかを判定する（判定手段）。端末から応答指示を受け付けたと判定した場合、Ｓ８２９に進む。受け付けたと判定しない場合、図８の処理を終了する。
【０１２９】
ステップＳ８２９では、お客様番号に対応づけられたシステム番号を外線情報テーブル７１０２から検索し、第１の着信先番号をお客様番号対応づけられたシステム番号に着信先番号として変換する（変換手段）。またＳ４０１及びＳ８０１で発信元番号として受信した内線番号「４７００００１」をそのまま指定する（指定手段）。発信元番号（内線番号）と着信先番号（システム番号）をＳ４０２の受信手段に送信する（送信手段）。
【０１３０】
この発信元番号（内線番号）と着信先番号（システム番号）はＳ４０２の受信手段が受信する。この場合は発信元番号（内線番号）と着信先番号（システム番号）を受信した場合と同じ処理がされる。つまりＳ４０２以降の処理によりお客様番号（前記第１の着信先番号）に発信する事ができる。つまりＳ４０８にて第２の着信要求手段が前記第１の着信先番号に着信すべく着信要求する。
【０１３１】
以上説明したように、本実施の形態によれば、内線電話からお客様の電話に発信させる際に、内線電話内にお客様の電話番号を残さず、お客様と対応づけた管理番号（システム番号）を内線電話端末内に履歴として残すことにより、内線電話側ではどこへの発信なのかを社員は把握でき、かつ、もし社員が内線電話端末を紛失した場合であっても、顧客情報（お客様の電話番号）が内線電話端末から漏洩するリスクを減らすことがでる。またお客様の番号と対応づけた管理番号（システム番号）を内線電話の発信者（社員）が分からない場合にも、問い合わせ要求によりシステム番号を知ることができる。
図９は問い合わせ要求送信者の端末で行う、図４及び図８に示したシステム番号取得処理のダイヤル操作手順を示した図である。
【０１３２】
また、本発明におけるプログラムは、図４及び図８に示すフローチャートの処理を管理サーバ１０１が実行可能なプログラムであり、本発明の記憶媒体は図４及び図８の処理方法を実行可能なプログラムとして記憶している。
（本発明の他の実施形態）
【０１３３】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１３４】
この場合、記録媒体から読み出されたプログラム自体が本発明の新規な機能を実現することになり、そのプログラムを記憶した記録媒体は本発明を構成することになる。
【０１３５】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１３６】
また、管理サーバ１０１が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１３９】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【０１４０】
また、本発明の電話番号処理装置は、管理サーバ１０１としてＳＩＰサーバを想定して説明したが、ＳＩＰサーバでの実現に限るものではなく、ＦＭＣサーバ、ＰＢＸ装置でも、本発明の電話番号処理方法を実現可能であり、そのような装置における実施形態も本発明の技術的範囲に属するものである。
【符号の説明】
【０１４１】
１０１  管理サーバ
４０１  携帯端末
３０１  ＣＰＵ
３０２  ＲＯＭ
３０３  ＲＡＭ 
【図１】
0005621892.tif 000002
【図２】
0005621892.tif 000003
【図３】
0005621892.tif 000004
【図４】
0005621892.tif 000005
【図５】
0005621892.tif 000006
【図６】
0005621892.tif 000007
【図７】
0005621892.tif 000008
【図８】
0005621892.tif 000009
【図９】
0005621892.tif 000010